(57)【特許請求の範囲】
【請求項１】
ホスト側と送受信機側との間で信号レベルを変化させながら信号の送受信を行うことにより前記送受信機による受信可能な搬送波の信号レベルを測定する送受信機の信号レベル測定方法であって、信号レベルを変化させた時に、変化させた信号レベルが、送受信が可能であるスペック内である場合には、測定時点の信号レベルを記憶し、前記ホスト側と送受信機側との間の送受信可能状態が切断された場合には、前記記憶した信号レベルを再現してから信号レベル測定を再開することを特徴とする送受信機の信号レベル測定方法。
【請求項２】
前記測定に供する信号レベルを１０ｄＢ毎、５ｄＢ毎、１ｄＢ毎、０．５ｄＢ毎および０．１ｄＢ毎の順に大区分から小区分へと順に変化させて追い込むことを特徴とする請求項１に記載の送受信機の信号レベル測定方法。
【請求項３】
信号レベルを次第に減少させて送受信機の感度特性を測定することを特徴とする請求項１または請求項２に記載の送受信機の信号レベル測定方法。
【請求項４】
信号レベルを次第に上昇させて送受信機の妨害特性を測定することを特徴とする請求項１または請求項２に記載の送受信機の信号レベル測定方法。
【発明の詳細な説明】
【０００１】
【発明の属する技術分野】
本発明は、移動体通信システム等においてホスト側と送受信を行う送受信機による受信可能な搬送波の信号レベルを測定する送受信機の信号レベル測定方法に関する。
【０００２】
【従来の技術と発明が解決しようとする課題】
近年急速に普及している各種の移動体通信システムにおいては、ホスト側と送受信機側との通信を確実に行うために、ホスト側と送受信を行う送受信機による受信可能な搬送波の信号レベル（例えば、感度特性や妨害特性）を測定し、その測定の結果検出された信号レベルを満たす強度の信号レベルをもって送受信するようにしている。
【０００３】
従来の信号レベル測定は、図５に示すようにして行われていた。
【０００４】
即ち、ホスト側と送受信機側とを接続して送受信可能状態とし（ＳＴ１）、その時の信号レベルを測定し（ＳＴ２）、次に感度特性の測定の場合には信号レベルを減少させ、妨害特性の測定の場合には信号レベルを増加させ（ＳＴ３）、変化した信号レベルが送受信の可能であるスペック内、すなわちＩＮインスペックであるか否かを判断し（ＳＴ４）、この判断がＹＥＳの場合には、再度ステップＳＴ３に戻り、信号レベルを変化させてステップＳＴ４の判断を行う操作を繰り返すとともに、次第に変化させる信号レベル変化量を小さくして行く。一方、前記ステップＳＴ４による判断がＮＯの場合には、ホスト側と送受信機側との接続が切断されたリンク外れの状態になったか否かを判断する（ＳＴ５）。このステップＳＴ５の判断がＮＯの場合には、ステップＳＴ３による信号レベルの変化量が最小の信号レベル変化量まで到達したと判断して、その時の信号レベルを感度特性もしくは妨害特性として検出して測定を終了する。
【０００５】
ところが、ステップＳＴ３による信号レベルの変化量が最小の信号レベル変化量まで到達する前にステップＳＴ４の判断がＹＥＳとなると、ステップＳＴ５の判断もリンク外れとなってＹＥＳとなり、ステップＳＴ１に戻って、最初からの信号レベルの測定操作が再開される。
【０００６】
この場合には、それまで実行した信号レベルの測定操作を何ら利用することなく全く最初からの測定操作を開始するものであり、リンク外れを発生させないように０．１ｄＢまたは１ｄＢと小さな変化レベルで測定せざるを得なかった。しかし、そのようにして測定すると、測定完了までの測定に要する時間が長くかかり、測定速度が遅いという不都合があった。
【０００７】
本発明はこれらの点に鑑みてなされたものであり、送受信機の受信信号の信号レベルの測定を正確にかつ高速に行うことのできる送受信機の信号レベル測定方法を提供することを目的とする。
【０００８】
【課題を解決するための手段】
前記目的を達成するために本発明に係る送受信機の信号レベル測定方法は、ホスト側と送受信機側との間で信号レベルを変化させながら信号の送受信を行うことにより前記送受信機による受信可能な搬送波の信号レベルを測定する送受信機の信号レベル測定方法であって、信号レベルを変化させた時に、変化させた信号レベルが、送受信が可能であるスペック内である場合には、測定時点の信号レベルを記憶し、前記ホスト側と送受信機側との間の送受信可能状態が切断された場合には、前記記憶した信号レベルを再現してから信号レベル測定を再開することを特徴とする。
【０００９】
また、前記測定に供する信号レベルを１０ｄＢ毎、５ｄＢ毎、１ｄＢ毎、０．５ｄＢ毎および０．１ｄＢ毎の順に大区分から小区分へと順に変化させて追い込むようにしたり、前記信号レベルを次第に減少させて送受信機の感度特性を測定したり、信号レベルを次第に上昇させて送受信機の妨害特性を測定するようにするとよい。
【００１０】
本発明によれば、信号レベルを測定する際に、信号レベルを変化させて測定した時にホスト側と送受信機側との間の送受信可能状態が切断された場合には、ホスト側と送受信機側との再接続を行い切断前の送受信可能な信号レベルに戻って信号レベル測定を再開することができ、送受信機の受信信号の信号レベルの測定を正確にかつ高速に行うことができる。
【００１１】
【発明の実施の形態】
以下、本発明の実施形態を図１から図４を参照して説明する。
【００１２】
図１は本発明に係る送受信機の信号レベル測定方法が適用される信号レベル測定システムの実施形態の要部を示すブロック図である。
【００１３】
図１に示すように、本実施形態の信号レベル測定システム１は、ホスト側に位置するホスト２と送受信機側に位置する送受信機３とを伝送路たる無線により接続することにより構成されている。一方のホスト２としては、特性測定機能が配設された携帯電話機の基地局あるいは専用の特性測定器などを挙げることができる。他方の送受信機３としては、ＣＤＭＡ、ＤＥＣＴなどにより基地局を無線で中継しながらデジタル通信を行うことのできる携帯電話機などを挙げることができる。
【００１４】
前記ホスト２には、少なくとも通信の中継を行うホスト送受信部２１と、このホスト送受信部２１の動作制御を司るホスト制御部２２とに加えて、少なくともホスト２と送受信を行う送受信機３による受信可能な搬送波である信号（無線信号）の信号レベルの感度特性および妨害特性などの特性の測定に用いる特性測定部２３が配設されている。この特性測定部２３には、少なくとも感度特性の測定に用いる所定レベルの信号を生成する第１ＳＳＧ（シグナルジェネレータ）２３Ａ、妨害信号を形成するのに用いる信号を生成するための第２ＳＳＧ２３Ｂ、前記第１ＳＳＧ２３Ａにより生成された所定レベルの信号に第２ＳＳＧ２３Ｂにより生成された信号を混合して妨害特性の測定に用いる所定レベルの信号を形成するためのＤＥＶ（デバイダサーキュレータ）２３Ｃ、送信した測定に用いる信号と送受信機３からループバックされる信号とからＦＥＲ（フレームエラーレート）を取得するためのＦＥＲ取得部２３Ｄ、および少なくともこれらの各部２３Ａ，２３Ｂ，２３Ｃ，２３Ｄの動作制御と送受信機３による受信可能な搬送波である信号の信号レベルの判断とを司る特性測定用制御部２３Ｅが設けられている。この特性測定用制御部２３Ｅの動作、すなわち送受信機３の信号レベル測定方法については後に詳述する。また、第１ＳＳＧ２３ＡおよびＤＥＶ２３Ｃは、妨害特性の測定時にのみ用いられるものであり、感度特性の測定を行う場合には、動作しないあるいはスキップするように制御されている。
【００１５】
なお、特性測定用制御部２３Ｅは、少なくとも図示しないＣＰＵと、適宜な容量のＲＯＭ、ＲＡＭなどにより形成されたメモリとを有しており、メモリには、少なくとも特性測定部２３の初期設定に用いる制御プログラムおよび後に詳述する信号レベルの測定方法に用いる特性測定部２３の動作制御を行うための制御プログラムなどが記憶されるとともに、信号レベルの測定に必要なデータ、得られたデータなどを記憶するデータ記憶領域が設けられている。
【００１６】
前記送受信機３には、少なくとも通信を行うための送受信部３１と、この送受信部３１の動作制御を司る制御部３２とが設けられており、ホスト２を無線で中継しながら他の送受信機３などの相手との間で通信の送受信を行うことができるように形成されている。
【００１７】
したがって、本実施形態の信号レベル測定システム１においては、ホスト２の特性測定部２３で形成される特性測定に用いる信号を、ホスト２から送受信機３に送信し、この信号を送受信機３からループバックしてホスト２に返すように構成されている。
【００１８】
なお、ホスト２のホスト送受信部２１およびホスト制御部２２、ならびに送受信機３の送受信部３１および制御部３２の構成については、従来公知の構成が用いられており、その詳しい説明は省略する。
【００１９】
つぎに、本実施形態の送受信機３の信号レベル測定方法の実施形態について図２に示すフローチャートを参照して説明する。
【００２０】
図２に示すように、本実施形態における信号レベル測定が開始されると、ステップＳＴ１１においてホスト２と送受信機３とを接続して送受信可能状態とする。
【００２１】
ついで、ステップＳＴ１２において、ホスト２と送受信機３とを接続した時の信号レベルをホスト２側で測定する。すなわち、ホスト２と送受信機３とを接続した時に、ホスト２の特性測定部２３で形成される初期設定による信号レベルの特性測定に用いる感度特性測定用あるいは妨害特性測定用の信号をホスト２から送受信機３に送信し、送受信機３からループバック（コールバック）される特性測定に用いる信号である感度特性測定用あるいは妨害特性測定用の信号をホスト２で受信することで信号レベル、詳しくは信号の感度レベルの測定を行う。
【００２２】
ついで、ステップＳＴ１３において、感度特性の測定の場合には感度特性測定用の信号の信号レベルを減少させ、妨害特性の測定の場合には妨害特性測定用の信号の信号レベルを増加させる。すなわち、ホスト２から送信する特性測定に用いる信号の信号レベルを変化させる。なお、感度特性は、信号レベルが減少すると送受信が不可能になり、妨害特性は、信号レベルが増加すると送受信が不可能になる。
【００２３】
つぎに、ステップＳＴ１４において、変化させた信号レベルが、送受信が可能であるスペック内、すなわちＩＮインスペックか否かを判断する。この判断がＹＥＳの場合には、つぎのステップＳＴ１５に進行して測定時点の信号レベルを記憶してから前記ステップＳＴ１３に戻り、信号レベルを変化させてステップＳＴ１４の判断を行う操作を繰り返すとともに、次第に変化させる信号レベル変化量を小さくして行く。
【００２４】
前記ステップＳＴ１４による判断がＮＯの場合には、つぎのステップＳＴ１６に進行してホスト２と送受信機３との接続が切断されたリンク外れの状態になったか否かを判断する。
【００２５】
前記ステップＳＴ１６の判断がＮＯの場合には、ステップＳＴ１３による信号レベルの変化量が最小の信号レベル変化量まで到達したと判断して、その時の信号レベルを感度特性もしくは妨害特性として検出して測定を終了する。
【００２６】
前記ステップＳＴ１６の判断がＹＥＳの場合には、つぎのステップＳＴ１７に進行し、ステップＳＴ１１と同様に、ホスト２と送受信機３とを接続して送受信可能状態とする。
【００２７】
つぎに、ステップＳＴ１８において、前記ステップＳＴ１５において記憶したリンクが外れる直前の信号レベルを再現してから、前記ステップＳＴ１３に戻る。これにより、再接続により再開されるステップＳＴ１３の信号レベルの変化は、リンクが外れる直前の信号レベルから再開されることになる。
【００２８】
このように、本実施形態の送受信機３の信号レベル測定方法によれば、信号レベルを測定する際に、信号レベルを変化させて測定した時にホスト２と送受信機３との間の送受信可能状態が切断された場合には、ホスト２と送受信機３との再接続を行い切断前の送受信可能な信号レベルに戻って信号レベル測定を再開することができ、送受信機３の受信信号の信号レベルの測定を正確にかつ高速に行うことができる。
【００２９】
つぎに、本発明の送受信機の信号レベル測定方法の実施例を示すが、本発明はこれに限定されるものではない。
【００３０】
まず、感度特性の測定の実施例について図３に示すフローチャートを参照して説明する。
【００３１】
図３に示すように、感度特性の測定は、ステップＳＴ１００において感度特性測定用の信号の信号レベルを初期値に設定することにより開始する。
【００３２】
ついで、ステップＳＴ１０１においてホスト２と送受信機３とを接続して送受信可能状態とする。例えば、送受信機３が携帯電話機である場合には、携帯電話機に固有の電話番号に通信を行う。
【００３３】
ついで、ステップＳＴ１０２において、ＦＥＲを取得する。すなわち、ホスト２と送受信機３とを接続した時に、ホスト２の特性測定部２３で形成される信号レベルが初期値とされた感度特性測定用の信号をホスト２から送受信機３に送信し、送受信機３からループバックされる感度特性測定用の信号をホスト２で受信し、送信した信号と送受信機３からループバックされる信号とからＦＥＲを取得する。なお、ＦＥＲとは、ホスト２から送受信機３に送信したデジタルデータが、送受信機３からホスト２に返信された際に、送信したデジタルデータを受信した時のデータの間違いの割合であり、これにより感度レベルを検出する。また、データの間違いとは、例えば送信データが「１０１０１０」で、受信データが「１０１０１１」となった場合、下一桁目のデータが間違いデータである。さらに、送信した特性測定用の信号の信号レベルは、フェージング、雨雪などによる電波の吸収などの外乱要因が無い場合には、そのまま変化せずにホスト２に返信されることになるので、信号レベルのＦＥＲは０％となる。
【００３４】
ついで、ステップＳＴ１０３において、ＦＥＲがＩＮスペックか否かを判断する。すなわち、前記ステップＳＴ１０２において取得したＦＥＲが、所定の規格により定められた送受信が可能である範囲内にあるか否かを判断する。例えば、所定の規格値がＦＥＲ、すなわち感度レベルを０．１％以内と規定している場合には、前記ステップＳＴ１０２において取得したＦＥＲが０．１％以内であるかを判断する。したがって、送受信機３から返信された感度特性測定用の信号が、所定の規格により定められた感度レベルを保持しているか否かを判断する。
【００３５】
前記ステップＳＴ１０３の判断がＹＥＳの場合には、つぎのステップＳＴ１０４に進行し、ＦＥＲがＩＮスペックか否かを再度判断する。そして、ステップＳＴ１０４の判断がＹＥＳの場合には、つぎのステップＳＴ１０５において感度特性測定用の信号の信号レベルを１０ｄＢダウンし、つぎのステップＳＴ１０６において１０ｄＢ下げた信号レベルにおけるＦＥＲを取得し、前記ステップＳＴ１０４に戻り、変化した信号レベルである１０ｄＢ下げた信号レベルにおけるＦＥＲがＩＮスペックか否かを判断する。
【００３６】
すなわち、ステップＳＴ１０４の判断がＹＥＳの場合には、ステップＳＴ１０４の判断がＮＯになるまで、信号レベルを１回に付き１０ｄＢずつダウンさせてステップＳＴ１０４の判断を行う操作を繰り返す。
【００３７】
前記ステップＳＴ１０４の判断がＮＯの場合には、つぎのステップＳＴ１０７において信号レベルを１０ｄＢアップし、つぎのステップＳＴ１０８においてホスト２と送受信機３との接続が切断されたリンク外れの状態になったか否かを判断する。そして、前記ステップＳＴ１０８の判断がＹＥＳの場合には、つぎのステップＳＴ１０９においてホスト２と送受信機３とを接続して送受信可能状態とし、つぎのステップＳＴ１１０に進行する。また、前記ステップＳＴ１０８の判断がＮＯの場合には、ステップＳＴ１１０に直接進行する。
【００３８】
ここで、前記ステップＳＴ１０４からステップＳＴ１０６において、送受信が不可能になるまで信号レベルを１０ｄＢずつダウンしていたものを、送受信が不可能となった時点での信号レベルをステップＳＴ１０７において１０ｄＢアップし、ホスト２と送受信機３との送受信可能状態が切断されたリンク外れとなった場合には、ステップＳＴ１０９において切断前の送受信可能な信号レベルに戻って信号レベル測定を再開することができる。このように、リンクが外れた信号レベルの１０ｄＢ上の信号レベルで再接続を行うことにより、リンクが外れる直前の信号レベルを記憶したことと同じになる。
【００３９】
ついで、ステップＳＴ１１０において、１０ｄＢアップした信号レベルにおけるＦＥＲを取得し、ついで、ステップＳＴ１１１において、ＦＥＲがＩＮスペックか否かを判断する。そして、ステップＳＴ１１１の判断がＹＥＳの場合には、つぎのステップＳＴ１１２において感度特性測定用の信号の信号レベルを５ｄＢダウンし、つぎのステップＳＴ１１３において５ｄＢ下げた信号レベルにおけるＦＥＲを取得し、前記ステップＳＴ１１１に戻り、変化した信号レベルである５ｄＢ下げた信号レベルにおけるＦＥＲがＩＮスペックか否かを判断する。
【００４０】
すなわち、ステップＳＴ１１１の判断がＹＥＳの場合には、ステップＳＴ１１１の判断がＮＯになるまで、信号レベルを１回に付き５ｄＢずつダウンさせてステップＳＴ１１１の判断を行う操作を繰り返す。
【００４１】
前記ステップＳＴ１１１の判断がＮＯの場合には、つぎのステップＳＴ１１４において信号レベルを５ｄＢアップし、つぎのステップＳＴ１１５においてホスト２と送受信機３との接続が切断されたリンク外れの状態になったか否かを判断する。そして、前記ステップＳＴ１１５の判断がＹＥＳの場合には、つぎのステップＳＴ１１６においてホスト２と送受信機３とを接続して送受信可能状態とし、つぎのステップＳＴ１１７に進行する。また、前記ステップＳＴ１１５の判断がＮＯの場合には、ステップＳＴ１１７に直接進行する。
【００４２】
ここで、前記ステップＳＴ１１１からステップＳＴ１１３において、送受信が不可能になるまで信号レベルを５ｄＢずつダウンしていたものを、送受信が不可能となった状態でステップＳＴ１１４において５ｄＢアップし、ホスト２と送受信機３との送受信可能状態が切断されたリンク外れとなった場合には、ステップＳＴ１１６において切断前の送受信可能な信号レベルに戻って信号レベル測定を再開することができる。このように、リンクが外れた信号レベルの５ｄＢ上の信号レベルで再接続を行うことにより、リンクが外れる直前の信号レベルを記憶したことと同じになる。
【００４３】
ついで、ステップＳＴ１１７において、５ｄＢアップした信号レベルにおけるＦＥＲを取得し、ついで、ステップＳＴ１１８において、ＦＥＲがＩＮスペックか否かを判断する。そして、ステップＳＴ１１８の判断がＹＥＳの場合には、つぎのステップＳＴ１１９において感度特性測定用の信号の信号レベルを１ｄＢダウンし、つぎのステップＳＴ１２０において１ｄＢ下げた信号レベルにおけるＦＥＲを取得し、前記ステップＳＴ１１８に戻り、変化した信号レベルである１ｄＢ下げた信号レベルにおけるＦＥＲがＩＮスペックか否かを判断する。
【００４４】
すなわち、ステップＳＴ１１８の判断がＹＥＳの場合には、ステップＳＴ１１８の判断がＮＯになるまで、信号レベルを１回に付き１ｄＢずつダウンさせてステップＳＴ１１８の判断を行う操作を繰り返す。
【００４５】
前記ステップＳＴ１１８の判断がＮＯの場合には、つぎのステップＳＴ１２１において信号レベルを１ｄＢアップし、つぎのステップＳＴ１２２においてホスト２と送受信機３との接続が切断されたリンク外れの状態になったか否かを判断する。そして、前記ステップＳＴ１２２の判断がＹＥＳの場合には、つぎのステップＳＴ１２３においてホスト２と送受信機３とを接続して送受信可能状態とし、つぎのステップＳＴ１２４に進行する。また、前記ステップＳＴ１２２の判断がＮＯの場合には、ステップＳＴ１２４に直接進行する。
【００４６】
ここで、前記ステップＳＴ１１８からステップＳＴ１２０において、送受信が不可能になるまで信号レベルを１ｄＢずつダウンしていたものを、送受信が不可能となった状態でステップＳＴ１２１において１ｄＢアップし、ホスト２と送受信機３との送受信可能状態が切断されたリンク外れとなった場合には、ステップＳＴ１２３において切断前の送受信可能な信号レベルに戻って信号レベル測定を再開することができる。このように、リンクが外れた信号レベルの１ｄＢ上の信号レベルで再接続を行うことにより、リンクが外れる直前の信号レベルを記憶したことと同じになる。
【００４７】
ついで、ステップＳＴ１２４において、１ｄＢアップした信号レベルにおけるＦＥＲを取得し、ついで、ステップＳＴ１２５において、ＦＥＲがＩＮスペックか否かを判断する。そして、ステップＳＴ１２５の判断がＹＥＳの場合には、つぎのステップＳＴ１２６において感度特性測定用の信号の信号レベルを０．５ｄＢダウンし、つぎのステップＳＴ１２７において０．５ｄＢ下げた信号レベルにおけるＦＥＲを取得し、前記ステップＳＴ１２５に戻り、変化した信号レベルである０．５ｄＢ下げた信号レベルにおけるＦＥＲがＩＮスペックか否かを判断する。
【００４８】
すなわち、ステップＳＴ１２５の判断がＹＥＳの場合には、ステップＳＴ１２５の判断がＮＯになるまで、信号レベルを１回に付き０．５ｄＢずつダウンさせてステップＳＴ１２５の判断を行う操作を繰り返す。
【００４９】
前記ステップＳＴ１２５の判断がＮＯの場合には、つぎのステップＳＴ１２８において信号レベルを０．５ｄＢアップし、つぎのステップＳＴ１２９においてホスト２と送受信機３との接続が切断されたリンク外れの状態になったか否かを判断する。そして、前記ステップＳＴ１２９の判断がＹＥＳの場合には、つぎのステップＳＴ１３０においてホスト２と送受信機３とを接続して送受信可能状態とし、つぎのステップＳＴ１３１に進行する。また、前記ステップＳＴ１２９の判断がＮＯの場合には、ステップＳＴ１３１に直接進行する。
【００５０】
ここで、前記ステップＳＴ１２５からステップＳＴ１２７において、送受信が不可能になるまで信号レベルを０．５ｄＢずつダウンしていたものを、送受信が不可能となった状態でステップＳＴ１２８において０．５ｄＢアップし、ホスト２と送受信機３との送受信可能状態が切断されたリンク外れとなった場合には、ステップＳＴ１３０において切断前の送受信可能な信号レベルに戻って信号レベル測定を再開することができる。このように、リンクが外れた信号レベルの０．５ｄＢ上の信号レベルで再接続を行うことにより、リンクが外れる直前の信号レベルを記憶したことと同じになる。
【００５１】
ついで、ステップＳＴ１３１において、０．５ｄＢアップした信号レベルにおけるＦＥＲを取得し、ついで、ステップＳＴ１３２において、ＦＥＲがＩＮスペックか否かを判断する。そして、ステップＳＴ１３２の判断がＹＥＳの場合には、つぎのステップＳＴ１３３において感度特性測定用の信号の信号レベルを０．１ｄＢダウンし、つぎのステップＳＴ１３４において０．１ｄＢ下げた信号レベルにおけるＦＥＲを取得し、前記ステップＳＴ１３２に戻り、変化した信号レベルである０．１ｄＢ下げた信号レベルにおけるＦＥＲがＩＮスペックか否かを判断する。
【００５２】
すなわち、ステップＳＴ１３２の判断がＹＥＳの場合には、ステップＳＴ１３２の判断がＮＯになるまで、信号レベルを１回に付き０．１ｄＢずつダウンさせてステップＳＴ１３２の判断を行う操作を繰り返す。
【００５３】
前記ステップＳＴ１３２の判断がＮＯの場合には、つぎのステップＳＴ１３５において信号レベルを０．１ｄＢアップするとともに、信号レベルの変化量が最小の信号レベル変化量まで到達したと判断して、その時の信号レベルを感度特性として検出して測定を終了する。
【００５４】
なお、前記ステップＳＴ１０３の判断がＮＯの場合には、つぎのステップＳＴ１３６において信号レベルを１０ｄＢアップし、つぎのステップＳＴ１３７においてホスト２と送受信機３とを接続して送受信可能状態とし、つぎのステップＳＴ１３８に進行して１０ｄＢ上げた信号レベルにおけるＦＥＲを取得し、つぎのステップＳＴ１３９において変化した信号レベルである１０ｄＢ上げた信号レベルにおけるＦＥＲがＩＮスペックか否かを判断し、判断がＮＯの場合には前記ステップＳＴ１３６に戻る。すなわち、ステップＳＴ１３９の判断がＮＯの場合には、ステップＳＴ１３９の判断がＹＥＳになるまで信号レベルを１回に付き１０ｄＢずつアップさせてステップＳＴ１３９の判断を行う操作を繰り返す。これにより、初期値の信号レベルを１０ｄＢずつアップして、ＦＥＲをＩＮスペックさせることが高速にできる。すなわち、感度特性を測定するのに必要な送受信が可能な信号レベルを容易に得ることができる。また、前記ステップＳＴ１３９の判断がＹＥＳの場合には、ステップＳＴ１１２に直接進行する。
【００５５】
このように、本実施例の感度特性の測定方法によれば、感度特性の測定を行う際に、感度特性測定用の信号の信号レベルの初期値と、この初期値の信号レベルの信号を用いて最初に取得するＦＥＲ、すなわち初期レベルと感度レベルとが大きく異なる場合でも、感度特性測定用の信号の信号レベルを１０ｄＢ毎、５ｄＢ毎、１ｄＢ毎、０．５ｄＢ毎および０．１ｄＢ毎の順に大区分から小区分へと順に信号レベルを変化させて追い込むことができるとともに、信号レベルを変化させて測定した時にホスト２と送受信機３との間の送受信可能状態が切断された場合には、ホスト２と送受信機３との再接続を行い切断前の送受信可能な信号レベルに戻って信号レベル測定を再開することができるので、送受信機３による受信可能な搬送波の感度特性の信号レベルの測定を正確にかつ高速に行うことができる。
【００５６】
つぎに、妨害特性の測定の実施例について図４に示すフローチャートを参照して説明する。
【００５７】
図４に示すように、妨害特性の測定は、ステップＳＴ２００において妨害特性測定用の信号の信号レベルを初期値に設定することにより開始する。
【００５８】
ついで、ステップＳＴ２０１においてホスト２と送受信機３とを接続して送受信可能状態とする。例えば、送受信機３が携帯電話機である場合には、携帯電話機に固有の電話番号に通信を行う。
【００５９】
ついで、ステップＳＴ２０２において、ＦＥＲを取得する。すなわち、ホスト２と送受信機３とを接続した時に、ホスト２の特性測定部２３で形成される信号レベルが初期値とされた妨害特性測定用の信号をホスト２から送受信機３に送信し、送受信機３からループバックされる妨害特性測定用の信号をホスト２で受信し、送信した信号と送受信機３からループバックされる信号とからＦＥＲを取得する。なお、ＦＥＲとは、ホスト２から送受信機３に送信したデジタルデータが、送受信機３からホスト２に返信された際に、送信したデジタルデータを受信した時のデータの間違いの割合であり、これにより感度レベルを検出する。また、データの間違いとは、例えば送信データが「１０１０１０」で、受信データが「１０１０１１」となった場合、下一桁目のデータが間違いデータである。
【００６０】
ついで、ステップＳＴ２０３において、ＦＥＲがＩＮスペックか否かを判断する。すなわち、前記ステップＳＴ２０２において取得したＦＥＲが、所定の規格により定められた送受信が可能である範囲内にあるか否かを判断する。例えば、所定の規格値がＦＥＲ、すなわち感度レベルを０．１％以内と規定している場合には、前記ステップＳＴ２０２において取得したＦＥＲが０．１％以内であるかを判断する。したがって、送受信機３から返信された妨害特性測定用の信号が、所定の規格により定められた感度レベルを保持しているか否かを判断する。
【００６１】
前記ステップＳＴ２０３の判断がＹＥＳの場合には、つぎのステップＳＴ２０４に進行し、ＦＥＲがＩＮスペックか否かを再度判断する。そして、ステップＳＴ２０４の判断がＹＥＳの場合には、つぎのステップＳＴ２０５において妨害特性測定用の信号の信号レベルを１０ｄＢアップし、つぎのステップＳＴ２０６において１０ｄＢ上げた信号レベルにおけるＦＥＲを取得し、前記ステップＳＴ２０４に戻り、変化した信号レベルである１０ｄＢ上げた信号レベルにおけるＦＥＲがＩＮスペックか否かを判断する。
【００６２】
すなわち、ステップＳＴ２０４の判断がＹＥＳの場合には、ステップＳＴ２０４の判断がＮＯになるまで、信号レベルを１回に付き１０ｄＢずつアップさせてステップＳＴ２０４の判断を行う操作を繰り返す。
【００６３】
前記ステップＳＴ２０４の判断がＮＯの場合には、つぎのステップＳＴ２０７において信号レベルを１０ｄＢダウンし、つぎのステップＳＴ２０８においてホスト２と送受信機３との接続が切断されたリンク外れの状態になったか否かを判断する。そして、前記ステップＳＴ２０８の判断がＹＥＳの場合には、つぎのステップＳＴ２０９においてホスト２と送受信機３とを接続して送受信可能状態とし、つぎのステップＳＴ２１０に進行する。また、前記ステップＳＴ２０８の判断がＮＯの場合には、ステップＳＴ２１０に直接進行する。
【００６４】
ここで、前記ステップＳＴ２０４からステップＳＴ２０６において、送受信が不可能になるまで信号レベルを１０ｄＢずつアップしていたものを、送受信が不可能となった時点での信号レベルをステップＳＴ２０７において１０ｄＢダウンし、ホスト２と送受信機３との送受信可能状態が切断されたリンク外れとなった場合には、ステップＳＴ２０９において切断前の送受信可能な信号レベルに戻って信号レベル測定を再開することができる。このように、リンクが外れた信号レベルの１０ｄＢ下の信号レベルで再接続を行うことにより、リンクが外れる直前の信号レベルを記憶したことと同じになる。
【００６５】
ついで、ステップＳＴ２１０において、１０ｄＢダウンした信号レベルにおけるＦＥＲを取得し、ついで、ステップＳＴ２１１において、ＦＥＲがＩＮスペックか否かを判断する。そして、ステップＳＴ２１１の判断がＹＥＳの場合には、つぎのステップＳＴ２１２において妨害特性測定用の信号の信号レベルを５ｄＢアップし、つぎのステップＳＴ２１３において５ｄＢ上げた信号レベルにおけるＦＥＲを取得し、前記ステップＳＴ２１１に戻り、変化した信号レベルである５ｄＢ上げた信号レベルにおけるＦＥＲがＩＮスペックか否かを判断する。
【００６６】
すなわち、ステップＳＴ２１１の判断がＹＥＳの場合には、ステップＳＴ２１１の判断がＮＯになるまで、信号レベルを１回に付き５ｄＢずつアップさせてステップＳＴ２１１の判断を行う操作を繰り返す。
【００６７】
前記ステップＳＴ２１１の判断がＮＯの場合には、つぎのステップＳＴ２１４において信号レベルを５ｄＢダウンし、つぎのステップＳＴ２１５においてホスト２と送受信機３との接続が切断されたリンク外れの状態になったか否かを判断する。そして、前記ステップＳＴ２１５の判断がＹＥＳの場合には、つぎのステップＳＴ２１６においてホスト２と送受信機３とを接続して送受信可能状態とし、つぎのステップＳＴ２１７に進行する。また、前記ステップＳＴ２１５の判断がＮＯの場合には、ステップＳＴ２１７に直接進行する。
【００６８】
ここで、前記ステップＳＴ２１１からステップＳＴ２１３において、送受信が不可能になるまで信号レベルを５ｄＢずつアップしていたものを、送受信が不可能となった状態でステップＳＴ２１４において５ｄＢダウンし、ホスト２と送受信機３との送受信可能状態が切断されたリンク外れとなった場合には、ステップＳＴ２１６において切断前の送受信可能な信号レベルに戻って信号レベル測定を再開することができる。このように、リンクが外れた信号レベルの５ｄＢ下の信号レベルで再接続を行うことにより、リンクが外れる直前の信号レベルを記憶したことと同じになる。
【００６９】
ついで、ステップＳＴ２１７において、５ｄＢダウンした信号レベルにおけるＦＥＲを取得し、ついで、ステップＳＴ２１８において、ＦＥＲがＩＮスペックか否かを判断する。そして、ステップＳＴ２１８の判断がＹＥＳの場合には、つぎのステップＳＴ２１９において妨害特性測定用の信号の信号レベルを１ｄＢアップし、つぎのステップＳＴ２２０において１ｄＢ上げた信号レベルにおけるＦＥＲを取得し、前記ステップＳＴ２１８に戻り、変化した信号レベルである１ｄＢ上げた信号レベルにおけるＦＥＲがＩＮスペックか否かを判断する。
【００７０】
すなわち、ステップＳＴ２１８の判断がＹＥＳの場合には、ステップＳＴ２１８の判断がＮＯになるまで、信号レベルを１回に付き１ｄＢずつアップさせてステップＳＴ２１８の判断を行う操作を繰り返す。
【００７１】
前記ステップＳＴ２１８の判断がＮＯの場合には、つぎのステップＳＴ２２１において信号レベルを１ｄＢダウンし、つぎのステップＳＴ２２２においてホスト２と送受信機３との接続が切断されたリンク外れの状態になったか否かを判断する。そして、前記ステップＳＴ２２２の判断がＹＥＳの場合には、つぎのステップＳＴ２２３においてホスト２と送受信機３とを接続して送受信可能状態とし、つぎのステップＳＴ２２４に進行する。また、前記ステップＳＴ２２２の判断がＮＯの場合には、ステップＳＴ２２４に直接進行する。
【００７２】
ここで、前記ステップＳＴ２１８からステップＳＴ２２０において、送受信が不可能になるまで信号レベルを１ｄＢずつアップしていたものを、送受信が不可能となった状態でステップＳＴ２２１において１ｄＢダウンし、ホスト２と送受信機３との送受信可能状態が切断されたリンク外れとなった場合には、ステップＳＴ２２３において切断前の送受信可能な信号レベルに戻って信号レベル測定を再開することができる。このように、リンクが外れた信号レベルの１ｄＢ下の信号レベルで再接続を行うことにより、リンクが外れる直前の信号レベルを記憶したことと同じになる。
【００７３】
ついで、ステップＳＴ２２４において、１ｄＢダウンした信号レベルにおけるＦＥＲを取得し、ついで、ステップＳＴ２２５において、ＦＥＲがＩＮスペックか否かを判断する。そして、ステップＳＴ２２５の判断がＹＥＳの場合には、つぎのステップＳＴ２２６において妨害特性測定用の信号の信号レベルを０．５ｄＢアップし、つぎのステップＳＴ２２７において０．５ｄＢ上げた信号レベルにおけるＦＥＲを取得し、前記ステップＳＴ２２５に戻り、変化した信号レベルである０．５ｄＢ上げた信号レベルにおけるＦＥＲがＩＮスペックか否かを判断する。
【００７４】
すなわち、ステップＳＴ２２５の判断がＹＥＳの場合には、ステップＳＴ２２５の判断がＮＯになるまで、信号レベルを１回に付き０．５ｄＢずつアップさせてステップＳＴ２２５の判断を行う操作を繰り返す。
【００７５】
前記ステップＳＴ２２５の判断がＮＯの場合には、つぎのステップＳＴ１２８において信号レベルを０．５ｄＢダウンし、つぎのステップＳＴ２２９においてホスト２と送受信機３との接続が切断されたリンク外れの状態になったか否かを判断する。そして、前記ステップＳＴ２２９の判断がＹＥＳの場合には、つぎのステップＳＴ２３０においてホスト２と送受信機３とを接続して送受信可能状態とし、つぎのステップＳＴ２３１に進行する。また、前記ステップＳＴ２２９の判断がＮＯの場合には、ステップＳＴ２３１に直接進行する。
【００７６】
ここで、前記ステップＳＴ２２５からステップＳＴ２２７において、送受信が不可能になるまで信号レベルを０．５ｄＢずつアップしていたものを、送受信が不可能となった状態でステップＳＴ２２８において０．５ｄＢダウンし、ホスト２と送受信機３との送受信可能状態が切断されたリンク外れとなった場合には、ステップＳＴ２３０において切断前の送受信可能な信号レベルに戻って信号レベル測定を再開することができる。このように、リンクが外れた信号レベルの０．５ｄＢ下の信号レベルで再接続を行うことにより、リンクが外れる直前の信号レベルを記憶したことと同じになる。
【００７７】
ついで、ステップＳＴ２３１において、０．５ｄＢダウンした信号レベルにおけるＦＥＲを取得し、ついで、ステップＳＴ２３２において、ＦＥＲがＩＮスペックか否かを判断する。そして、ステップＳＴ２３２の判断がＹＥＳの場合には、つぎのステップＳＴ２３３において妨害特性測定用の信号の信号レベルを０．１ｄＢアップし、つぎのステップＳＴ２３４において０．１ｄＢ上げた信号レベルにおけるＦＥＲを取得し、前記ステップＳＴ２３２に戻り、変化した信号レベルである０．１ｄＢ上げた信号レベルにおけるＦＥＲがＩＮスペックか否かを判断する。
【００７８】
すなわち、ステップＳＴ２３２の判断がＹＥＳの場合には、ステップＳＴ２３２の判断がＮＯになるまで、信号レベルを１回に付き０．１ｄＢずつアップさせてステップＳＴ２３２の判断を行う操作を繰り返す。
【００７９】
前記ステップＳＴ２３２の判断がＮＯの場合には、つぎのステップＳＴ２３５において信号レベルを０．１ｄＢダウンするとともに、信号レベルの変化量が最小の信号レベル変化量まで到達したと判断して、その時の信号レベルを妨害特性として検出して測定を終了する。
【００８０】
なお、前記ステップＳＴ２０３の判断がＮＯの場合には、つぎのステップＳＴ２３６において信号レベルを１０ｄＢダウンし、つぎのステップＳＴ２３７においてホスト２と送受信機３とを接続して送受信可能状態とし、つぎのステップＳＴ２３８に進行して１０ｄＢ下げた信号レベルにおけるＦＥＲを取得し、つぎのステップＳＴ２３９において変化した信号レベルである１０ｄＢ下げた信号レベルにおけるＦＥＲがＩＮスペックか否かを判断し、判断がＮＯの場合には前記ステップＳＴ２３６に戻る。すなわち、ステップＳＴ２３９の判断がＮＯの場合には、ステップＳＴ１３９の判断がＹＥＳになるまで信号レベルを１回に付き１０ｄＢずつダウンさせてステップＳＴ２３９の判断を行う操作を繰り返す。これにより、初期値の信号レベルを１０ｄＢずつダウンして、ＦＥＲをＩＮスペックさせることが高速にできる。すなわち、妨害特性を測定するのに必要な送受信が可能な信号レベルを容易に得ることができる。また、前記ステップＳＴ２３９の判断がＹＥＳの場合には、ステップＳＴ２１２に直接進行する。
【００８１】
このように、本実施例の妨害特性の測定方法によれば、妨害特性の測定を行う際に、妨害特性測定用の信号の信号レベルの初期値と、この初期値の信号レベルの信号を用いて最初に取得するＦＥＲ、すなわち初期レベルと感度レベルとが大きく異なる場合でも、妨害特性測定用の信号の信号レベルを１０ｄＢ毎、５ｄＢ毎、１ｄＢ毎、０．５ｄＢ毎および０．１ｄＢ毎の順に大区分から小区分へと順に信号レベルを変化させて追い込むことができるとともに、信号レベルを変化させて測定した時にホスト２と送受信機３との間の送受信可能状態が切断された場合には、ホスト２と送受信機３との再接続を行い切断前の送受信可能な信号レベルに戻って信号レベル測定を再開することができるので、送受信機３による受信可能な搬送波の妨害特性の信号レベルの測定を正確にかつ高速に行うことができる。
【００８２】
なお、本発明は前記実施形態および実施例に限定されるものではなく、必要に応じて変更することができる。
【００８３】
【発明の効果】
以上説明したように本発明に係る送受信機の信号レベル測定方法によれば、信号レベルを測定する際に、信号レベルを変化させて測定した時にホスト側と送受信機側との間の送受信可能状態が切断された場合には、ホスト側と送受信機側との再接続を行い切断前の送受信可能な信号レベルに戻って信号レベル測定を再開することができ、送受信機の受信信号の信号レベルの測定を正確にかつ高速に行うことができるなどの極めて優れた効果を奏する。
【図面の簡単な説明】
【図１】  本発明に係る送受信機の信号レベル測定方法が適用される信号レベル測定システム１の実施形態の要部を示すブロック図
【図２】  本発明に係る送受信機の信号レベル測定方法の実施形態を示すフローチャート
【図３】  本発明に係る送受信機の信号レベル測定方法の実施形態における感度特性の測定の実施例を示すフローチャート
【図４】  本発明に係る送受信機の信号レベル測定方法の実施形態における妨害特性の測定の実施例を示すフローチャート
【図５】  従来の送受信機の信号レベル測定方法を示すフローチャート
【符号の説明】
１  信号レベル測定システム
２  ホスト
３  送受信機
２３  特性測定部
２３Ａ  第１ＳＳＧ
２３Ｂ  第２ＳＳＧ
２３Ｃ  ＤＥＶ
２３Ｄ  ＦＥＲ取得部
２３Ｅ  特性測定用制御部
【図１】
0003948921.tif 000002
【図２】
0003948921.tif 000003
【図３】
0003948921.tif 000004
【図４】
0003948921.tif 000005
【図５】
0003948921.tif 000006